(57)【要約】【課題】ブルートゥース信号受信ポートを有するコンピュータに適用されるコンピュータ復帰方法を提供する。【解決手段】この方法は、コンピュータのプロセッサが動作を停止し、コンピュータが節電モードにあるときにコンピュータがトリガー命令を受信したかどうかを判断すること、ブルートゥース信号受信ポートによって得られ、登録された携帯デバイスに関する通信信号の強度が作業強度範囲内であるかどうかを判断すること、およびコンピュータがトリガー命令を受信し、通信信号の強度が作業強度範囲内である場合、プロセッサを動作可にしてコンピュータを動作させることを含む。【選択図】図１
2020013533.tif 000002
【特許請求の範囲】
【請求項１】
ブルートゥース信号受信ポートを有するコンピュータに適用されるコンピュータ復帰方法であり、
前記コンピュータのプロセッサが動作を停止し、前記コンピュータが節電モードにあるときに、前記コンピュータがトリガー命令を受信したかどうかを判断すること、
前記ブルートゥース信号受信ポートによって得られ、登録された携帯デバイスに関する通信信号の強度が作業強度範囲内であるかどうかを判断すること、および
前記コンピュータが前記トリガー命令を受信し、前記通信信号の前記強度が前記作業強度範囲内であるとき、前記プロセッサを動作可にして前記コンピュータを作業モードで動作させることを含む、コンピュータ復帰方法。
【請求項２】
前記コンピュータが前記節電モードで動作しているとき、前記コンピュータの前記節電モードはｈｉｂｅｒｎａｔｅモードであり、
前記ブルートゥース信号受信ポートによって得られ、登録された前記携帯デバイスに関する前記通信信号の前記強度が前記作業強度範囲内であるかどうかを判断することは、前記トリガー命令を受信したのちに行われる、請求項１に記載の方法。
【請求項３】
前記コンピュータが前記節電モードで動作しているとき、前記コンピュータの前記節電モードはスリープモードであり、
前記携帯デバイスの前記通信信号が前記トリガー命令である、請求項１に記載の方法。
【請求項４】
前記コンピュータが前記作業モードで動作された後、あらかじめ前記コンピュータに格納されているログインアカウントとログインパスワードに従って自動ログイン手続きを行うことをさらに含む、請求項１に記載の方法。
【請求項５】
前記ブルートゥース信号受信ポートはＵＳＢポートであり、
前記ＵＳＢポートは、ブルートゥース信号トランシーバと接続されるように構成される、請求項１に記載の方法。
【請求項６】
前記ブルートゥース信号受信ポートはＰＣＩ  Ｅｘｐｒｅｓｓポートであり、
前記ＰＣＩ  Ｅｘｐｒｅｓｓポートは、ブルートゥース信号トランシーバと接続されるように構成される、請求項１に記載の方法。
【請求項７】
前記ブルートゥース信号受信ポートはＭｉｎｉ  ＰＣＩ  Ｅｘｐｒｅｓｓポートであり、
前記Ｍｉｎｉ  ＰＣＩ  Ｅｘｐｒｅｓｓポートは、ブルートゥース信号トランシーバと接続されるように構成される、請求項１に記載の方法。
【請求項８】
ブルートゥース信号受信ポートを有するコンピュータに適用されるコンピュータ復帰方法であり、
前記ブルートゥース信号受信ポートのブルートゥースプロトコルに従って携帯デバイスを前記コンピュータと通信させ、前記携帯デバイスを前記コンピュータに登録すること、
前記コンピュータのプロセッサが動作可にされて、前記コンピュータが作業モードで動作しているとき、前記ブルートゥース信号受信ポートによって得られ、登録された前記携帯デバイスに関する通信信号の強度が作業強度範囲内であるかどうかを判断すること、
前記通信信号の前記強度が前記作業強度範囲内でないとき、前記プロセッサを動作不可にして前記コンピュータを節電モードで動作させること、
前記コンピュータの前記プロセッサが作業を停止し、前記コンピュータが節電モードで動作されているとき、前記コンピュータがトリガー命令を受信したかどうかを判断すること、
前記ブルートゥース信号受信ポートによって得られる、登録された前記携帯デバイスに関する前記通信信号の前記強度が前記作業強度範囲内であるかどうかを判断すること、
前記コンピュータが前記トリガー命令を受信し、前記通信信号の前記強度が前記作業強度範囲内でないとき、前記コンピュータを動作可にして前記作業モードにすることを含む、コンピュータ復帰方法。
【請求項９】
前記コンピュータが前記節電モードで動作しているとき、前記コンピュータの前記節電モードはｈｉｂｅｒｎａｔｅモードであり、
前記ブルートゥース信号受信ポートによって得られ、登録された前記携帯デバイスに関する前記通信信号の前記強度が前記作業強度範囲内であるかどうかを判断することは、前記トリガー命令を受信したのちに行われる、請求項８に記載の方法。
【請求項１０】
前記コンピュータが前記節電モードで動作しているとき、前記コンピュータの前記節電モードはスリープモードであり、
前記携帯デバイスの前記通信信号が前記トリガー命令である、請求項８に記載の方法。
【請求項１１】
前記コンピュータが前記作業モードで動作された後、あらかじめ前記コンピュータに格納されているログインアカウントとログインパスワードに従って自動ログイン手続きを行うことをさらに含む、請求項８に記載の方法。
【請求項１２】
前記ブルートゥース信号受信ポートはＵＳＢポートであり、
前記ＵＳＢポートは、ブルートゥース信号トランシーバと接続されるように構成される、請求項８に記載の方法。
【請求項１３】
前記ブルートゥース信号受信ポートは、ＰＣＩ  Ｅｘｐｒｅｓｓポートであり、
前記ＰＣＩ  Ｅｘｐｒｅｓｓポートは、ブルートゥース信号トランシーバと接続されるように構成される、請求項８に記載の方法。
【請求項１４】
前記ブルートゥース信号受信ポートは、Ｍｉｎｉ  ＰＣＩ  Ｅｘｐｒｅｓｓポートであり、
前記Ｍｉｎｉ  ＰＣＩ  Ｅｘｐｒｅｓｓポートは、ブルートゥース信号トランシーバと接続されるように構成される、請求項８に記載の方法。
【請求項１５】
前記プロセッサを動作不可にして前記コンピュータを前記節電モードで動作させた後に、前記コンピュータに電気的に接続されるモニターをオフにすること、および
前記プロセッサを動作可にして前記コンピュータを前記作業モードで動作させた後に、前記コンピュータに電気的に接続される前記モニターをオンにすることをさらに含む、請求項８に記載の方法。
【発明の詳細な説明】
【技術分野】
【０００１】
本開示は、省エネルギー方法、より具体的には、コンピュータ節電方法とコンピュータ復帰方法に関する。
【背景技術】
【０００２】
電気製品の消費電力は重要なデザインファクターの一つである。メーカーはそれぞれ、自社製品の電力の消費がより小さくなってユーザの要求を満足する連続待受時間が増大することを望んでいる。
【０００３】
ユーザは、一時的に他の事をする必要があるとコンピュータを立ち下げずに一時的にコンピュータを置いたまま席を外すことがある。しかし、このような状況が頻繁に起こると、コンピュータは電力をより多く消費することになる。このため通常コンピュータは、消費電力を抑えるために節電モードに設定され、コンピュータの幾つかのデバイスに対して電力供給が停止される。
【０００４】
節電モードからコンピュータを復帰させるときには、ユーザはキーボードやマウス、あるいは電源スイッチを操作しなければならない。このため、コンピュータの節電モードから作業モードへの切り替え時、ユーザは不便を強いられることになる。
【０００５】
このような状況から、上述した欠点を解決することができるためのコンピュータ節電方法とコンピュータ復帰方法の改善がまさに求められている。
【発明の概要】
【課題を解決するための手段】
【０００６】
本開示の実施形態の一つにより、コンピュータ復帰方法とコンピュータ節電方法が提供され、これにより、ユーザがコンピュータから離れたかどうかをより精密に判断することができる。ユーザがコンピュータから特定の距離離れると、コンピュータは作業モードから節電モードへと切り替わり、より早くより効率的に電力消費が抑制される。
【０００７】
本開示の実施形態の一つにより、ブルートゥース（登録商標）信号受信ポートを備えるコンピュータに適用されるコンピュータ復帰方法が提供される。このコンピュータ復帰方法は、コンピュータのプロセッサが作業を停止してコンピュータが節電モードで動作されている際、トリガー命令をコンピュータが受信したかを判断すること、ブルートゥース信号受信ポートによって得られ、登録された携帯デバイスに関する通信信号の強度が作業強度範囲内にあるかどうかを判断すること、およびコンピュータがトリガー命令を受信し、かつ通信信号の強度が作業強度範囲内にある場合に、プロセッサを動作可にしてコンピュータを作業モードで動作させることを含む。
【０００８】
本開示の実施形態の一つにより、ブルートゥース信号受信ポートを備えるコンピュータに適用されるコンピュータ節電方法が提供される。このコンピュータ節電方法は、ブルートゥース信号受信ポートのブルートゥースプロトコルに従って携帯デバイスがコンピュータと通信してコンピュータに携帯デバイスを登録すること、コンピュータのプロセッサが動作しており、かつコンピュータが作業モードにあるときに、ブルートゥース信号受信ポートによって得られ、登録された携帯デバイスに関する通信信号の強度が作業強度範囲内にあるかどうかを判断すること、通信信号の強度が作業強度範囲内にない場合にプロセッサを停止してコンピュータを節電モードで動作させること、コンピュータのプロセッサが作業を停止し、かつコンピュータが節電モードにある場合にコンピュータがトリガー命令を受信したかどうかを判断すること、ブルートゥース信号受信ポートによって得られ、登録された携帯デバイスに関する通信信号の強度が作業強度範囲内にあるかどうかを判断すること、およびコンピュータがトリガー命令を受信し、かつ通信信号の強度が作業強度範囲内にない場合に、プロセッサを動作可にしてコンピュータを作業モードで動作させることを含む。
【０００９】
従来、コンピュータの作業モードから節電モードへの切り替えは、コンピュータの入力インターフェースがどれだけの時間作動されなかったかに応じて行われていた。したがってコンピュータは、実際にはユーザがコンピュータから離れていなくても、ユーザがコンピュータから離れたと誤って判断することがある。本開示のコンピュータ節電方法とコンピュータ復帰方法によると、ブルートゥース信号受信ポートによって得られ、登録された携帯デバイスに関する通信信号の強度が作業強度範囲内にあるかどうかによってコンピュータが動作モードと節電モード間で切り替わるので、ユーザがコンピュータから離れたかどうかを正確に判断して節電することができる。
【００１０】
上述した概要と以下に述べる実施形態により、本発明の趣旨と原理が解説、説明され、さらに本発明の範囲が説明される。
【図面の簡単な説明】
【００１１】
本開示は、以下の詳細な説明と添付図面によってより十分に明らかになるが、これらは単に解説のために用いられるものであり、本開示を制約するものではない。
【図１】本開示の実施形態の一つに係る、節電機能を有するコンピュータのハードウェアの構成図。
【図２Ａ】本開示の第１実施形態に係る節電方法のフローチャート。
【図２Ｂ】本開示の第１実施形態に係る節電方法のフローチャート。
【図３Ａ】本開示の第２実施形態に係る節電方法のフローチャート。
【図３Ｂ】本開示の第２実施形態に係る節電方法のフローチャート。
【図４】本開示の第３実施形態に係る節電方法のフローチャート。
【図５】本開示の他の実施形態に係る、節電機能を有するコンピュータのハードウェアの構成図。
【発明を実施するための形態】
【００１２】
説明を目的とし、以下に述べる詳細な説明では、開示される実施形態を十分に理解できるよう、多くの具体的詳細が提示される。ただし、一つ、あるいは複数の実施形態は、これらの具体的詳細なしに実施することができることは明らかである。他の例では、よく知られた構成や装置は、図面を簡略化するため、模式的に表される。
【００１３】
図１は、本開示の実施形態の一つに係る節電機能を有するコンピュータのハードウェア構成図である。図１に示すように、コンピュータ１００は、マザーボード１０、電源２０、ハードディスク３０、ブルートゥース信号トランシーバ４０、およびモニター５０を備える。本実施形態では、マザーボード１０はＡｄｖａｎｃｅｄ  Ｃｏｎｆｉｇｕｒａｔｉｏｎ  ａｎｄ  Ｐｏｗｅｒ  Ｉｎｔｅｒｆａｃｅ（ＡＣＰＩ）に従い、ＡＰＣＩに従うマザーボード１０は、Ｓ０モード、Ｓ１モード（スタンバイ状態）Ｓ２モード、Ｓ３モード（ＲＡＭサスペンド）、Ｓ４モード（Ｈｉｂｅｒｎａｔｅモード）、およびＳ５モードを有し、Ｓ０モードは作業モード、Ｓ１モードからＳ４モードは節電モード、Ｓ５モードは立ち下げモードである。電源２０、ハードディスク３０、ブルートゥース信号トランシーバ４０、およびモニター５０は、それぞれマザーボード１０と電気的に接続される。電源２０はマザーボード１０に電力を供給し、マザーボード１０は、電源２０から供給される電力をハードディスク３０、ブルートゥース信号トランシーバ４０、およびモニター５０の使用のために供給する。ハードディスク３０は不揮発性の格納装置であり、ハードディスク３０内に格納されるデータは、コンピュータ１００をオフにしても失われない。ブルートゥース信号トランシーバ４０は、ユーザの携帯デバイス２００が送信する通信信号ＣＳを受信し、通信信号ＣＳの強度を判断するように構成され、通信信号ＣＳはブルートゥース信号である。
【００１４】
マザーボード１０は、電源ポート１１、電源管理コントローラ１２、プロセッサ１３、ランダムアクセスメモリ（ＲＡＭ）１４、ハードディスクポート１５、ブルートゥース信号受信ポート１６、およびモニターポート１７を備える。電源ポート１１は電源２０と電源管理コントローラ１２に電気的に接続され、電源ポート１１は、電源２０によって生成される電力を電源管理コントローラ１２へ伝えるように構成される。電源管理コントローラ１２は、プロセッサ１３、ランダムアクセスメモリ１４、ハードディスクポート１５、ブルートゥース信号受信ポート１６、およびモニターポート１７にそれぞれ接続され、電源管理コントローラ１２は、プロセッサ１３、ランダムアクセスメモリ１４、ハードディスクポート１５、ブルートゥース信号受信ポート１６、およびモニターポート１７を動作させるために必要な電力を管理するように構成される。プロセッサ１３は電源管理コントローラ１２と電気的に接続され、さらにランダムアクセスメモリ１４、ハードディスクポート１５、ブルートゥース信号受信ポート１６、およびモニターポート１７と電気的に接続される。プロセッサ１３は、ランダムアクセスメモリ１４に格納されるプログラム命令を実行するように構成される。ランダムアクセスメモリ１４は、プログラム命令を実行するために必要なプログラム命令とデータを一時的に格納するように構成される。ランダムアクセスメモリ１４は揮発性メモリーであることから、データとプログラム命令をランダムアクセスメモリ１４に保存するためには、ランダムアクセスメモリ１４に連続的に電力を供給する必要がある。ハードディスクポート１５は電源管理コントローラ１２に電気的に接続され、さらにハードディスク３０に電気的に接続される。本実施形態では、ブルートゥース信号受信ポート１６はＵＳＢポートである。他の実施形態では、ブルートゥース信号受信ポート１６は、ＰＣＩ  ＥｘｐｒｅｓｓポートやＭｉｎｉ  ＰＣＩ  Ｅｘｐｒｅｓｓポートなどの他の種類の接続インターフェースであっても良い。ブルートゥース信号受信ポート１６は電源管理コントローラ１２に電気的に接続されるほか、プロセッサ１３とブルートゥース信号トランシーバ４０にも電気的に接続される。本実施形態では、ブルートゥース信号トランシーバ４０はコンピュータ１００の外部装置であり、マザーボード１０に組み込まれていない。
【００１５】
図２Ａと図２Ｂは、本開示の第１実施形態に係る節電方法のフローチャートを示し、図２Ａと図２Ｂに示される節電方法は、図１に示すコンピュータ１００によって実行することができる。図１と図２Ａから理解されるように、ステップ２０１において、携帯デバイス２００はブルートゥース信号受信ポート１６のブルートゥースプロトコルに従ってコンピュータ１００と通信し、携帯デバイス２００がコンピュータ１００に登録される。引き続きステップ２０２において、ブルートゥース信号トランシーバ４０は作業強度範囲を設定する。
コンピュータ１００のプロセッサ１３が動作可とされ、かつコンピュータ１００が作業モードで動作している場合、ブルートゥース信号トランシーバ４０は、携帯デバイス２００によって送信される通信信号ＣＳを受信し、通信信号ＣＳをブルートゥース信号受信ポート１６に伝え、ブルートゥース信号受信ポートによって得られ、携帯デバイス２００に関する通信信号ＣＳの強度が作業強度範囲内であるかどうかを判断するように構成される。通信信号ＣＳの強度が作業強度範囲内でなければ、ステップ２０３に移行する。通信信号ＣＳの強度が作業強度範囲内であれば、ステップ２０４に移行する。さらに、ブルートゥース信号受信ポート１６は通信信号ＣＳを電源管理コントローラ１２へ伝える。
【００１６】
ステップ２０３において、ブルートゥース信号受信ポート１６によって得られる通信信号ＣＳの強度が作業強度範囲内でない場合、これは携帯デバイス２００がコンピュータ１００から遠すぎることが主な理由である。このとき、電源管理コントローラ１２はプロセッサ１３に電力供給を停止し、プロセッサ１３を動作不可にしてコンピュータ１００をＳ３節電モード（ＲＡＭサスペンドモード）で動作させる。Ｓ３節電モードでは、コンピュータ１００によって扱われるプログラム命令とデータはランダムアクセスメモリ１４内に格納され、電源管理コントローラ１２はランダムアクセスメモリ１４に対して電力供給を続ける。その他の場合には、ステップ２０４において、コンピュータ１００は作業モードを維持し続ける。
【００１７】
ステップ２０３の後がステップ２０５である。ステップ２０５では、電源管理コントローラ１２はモニターポート１７への電力供給を停止し、コンピュータ１００に電気的に接続されるモニター５０をオフにする。ステップ２０６では、電源管理コントローラ１２はハードディスクポート１５への電力供給を停止し、コンピュータ１００に電気的に接続されるハードディスク３０を停止する。他の実施形態では、ステップ２０５とステップ２０６は同時に行ってもよい。
【００１８】
図１と図２Ｂに示すように、本実施形態のコンピュータ節電方法は、ステップ２０７から２１２をさらに含む。以下の説明における便宜のため、ステップ２０７から２１２はコンピュータ復帰方法とも定義される。コンピュータ１００のプロセッサ１３を動作不可にしてコンピュータ１００をＳ３節電モードで動作させるとき、コンピュータ１００を復帰させるトリガー命令は、携帯デバイス２００によって送信される通信信号ＣＳである。ステップ２０７では、携帯デバイス２００によって送信され、ブルートゥース信号受信ポート１６によって得られる通信信号ＣＳの強度が作業強度範囲内であるかどうかを判断する。通信信号ＣＳの強度が作業強度範囲内である場合、ステップ２０８へ移行する。通信信号ＣＳの強度が作業強度範囲内でない場合、ステップ２０９へ移行する。ステップ２０８において、ブルートゥース信号受信ポート１６によって得られる通信信号ＣＳの強度が作業強度範囲内である理由として、携帯デバイス２００とコンピュータ１００間の距離が非常に短いことが考えられる。このとき、電源管理コントローラ１２はプロセッサ１３に対して電力供給を再開し、プロセッサ１３を動作可にする。一方、ステップ２０９では、通信信号ＣＳの強度が作業強度範囲内でない場合、コンピュータ１００はＳ３節電モードを維持し続ける。
【００１９】
ステップ２０８の後がステップ２１０であり、ステップ２１０では、プロセッサ１３を動作可にした後、電源管理コントローラ１２はハードディスクポート１５に電力供給を再開し、コンピュータ１００に電気的に接続されるハードディスク３０をオンにし、コンピュータ１００を再度作業モードで動作させる。ステップ２１１では、電源管理コントローラ１２はモニターポート１７への電力供給を再開し、コンピュータ１００に電気的に接続されるモニター５０をオンにする。他の実施形態では、ステップ２１０とステップ２１１を同時に行ってもよい。ステップ２１２では、コンピュータ１００にあらかじめ格納されているログインアカウントとログインパスワードに従って自動ログイン手続きを行う。
【００２０】
図３Ａ、図３Ｂは、本開示の第２実施形態に係る節電方法のフローチャートであり、図３Ａ、図３Ｂに示す節電方法は、図１に示されるコンピュータ１００を用いて実行することができる。ステップ３０１では、携帯デバイス２００はブルートゥース信号受信ポート１６のブルートゥースプロトコルに従ってコンピュータ１００と通信し、携帯デバイス２００がコンピュータ１００に登録される。続いてステップ３０２では、コンピュータ１００のプロセッサ１３が動作可とされ、コンピュータ１００が作業モードで動作しているとき、ブルートゥース信号受信ポート１６によって得られ、携帯デバイス２００によって送信される通信信号ＣＳの強度が作業強度範囲内であるかどうかを判断する。通信信号ＣＳの強度が作業強度範囲内でない場合、ステップ３０３に移行する。通信信号ＣＳの強度が作業強度範囲内である場合、ステップ３０４へ移行する。
【００２１】
ステップ３０３では、ブルートゥース信号受信ポート１６によって得られる通信信号ＣＳの強度が作業強度範囲内でない場合、ランダムアクセスメモリ１４に格納されるプログラム命令とデータは、プロセッサ１３によってハードディスク３０へ移動される。ステップ３０４では、コンピュータ１００は作業モードを維持し続ける。
【００２２】
ステップ３０３の後がステップ３０５である。ステップ３０５では、電源管理コントローラ１２はプロセッサ１３に対して電力供給を停止し、プロセッサ１３を動作不可にする。ステップ３０６では、電源管理コントローラ１２はランダムアクセスメモリ１４に対して電力供給を停止し、ランダムアクセスメモリ１４を動作不可にする。ステップ３０７では、電源管理コントローラ１２はハードディスクポート１５に対して電力供給を停止し、ハードディスク３０をオフにしてコンピュータ１００をＳ４節電モード（Ｈｉｂｅｒｎａｔｅモード）で動作させる。ステップ３０８では、電源管理コントローラ１２はモニターポート１７への電力供給を停止し、コンピュータ１００に電気的に接続されるモニター５０をオフにする。
【００２３】
図１と図３Ｂに示すように、本実施形態のコンピュータ節電方法はステップ３０９から３１５をさらに含み、ステップ３０９から３１５はコンピュータ復帰方法としても定義される。コンピュータ１００のプロセッサ１３、ランダムアクセスメモリ１４、およびハードディスク３０を動作不可にしてコンピュータ１００をＳ４節電モードで動作させる際、コンピュータ１００を復帰させるトリガー命令は、携帯デバイス２００によって送信される通信信号ＣＳではない。
【００２４】
ステップ３０９はコンピュータ１００がトリガー命令を受信したかどうかを判断する。ここでトリガー命令は、コンピュータ１００の電源スイッチを押すことで生成される。コンピュータ１００がトリガー命令を受信した場合、コンピュータ１００はＳ４節電モードから復帰し、ステップ３１０へ移行する。コンピュータ１００がトリガー命令を受信していない場合、ステップ３１１へ移行する。ステップ３１０では、コンピュータ１００がトリガー命令を受信したのち、ブルートゥース信号受信ポート１６によって得られ、携帯デバイス２００に関する通信信号ＣＳの強度が作業強度範囲内であるかどうかを判断する。通信信号ＣＳの強度が作業強度範囲内である場合、ステップ３１２へ移行する。通信信号ＣＳの強度が作業強度範囲内でない場合、ステップ３１３へ移行する。ステップ３１１では、コンピュータ１００はＳ４節電モードで維持される。
【００２５】
ステップ３１２では、コンピュータ１００がトリガー命令を受信し、かつ通信信号ＣＳの強度が作業強度範囲内である場合、電源管理コントローラ１２はプロセッサ１３に対して電力供給を再開してプロセッサ１３を動作可にする。ステップ３１３では、コンピュータ１００はＳ４節電モードに戻る。
【００２６】
ステップ３１２の次がステップ３１４である。ステップ３１４では、電源管理コントローラ１２はランダムアクセスメモリ１４に対して電力供給を再開してランダムアクセスメモリ１４を動作可にする。ステップ３１５では、電源管理コントローラ１２はハードディスクポート１５に対して電力供給を再開してハードディスク３０をオンに、コンピュータ１００を作業モードで動作させる。ステップ３１６では、ハードディスク３０に格納されているプログラム命令とデータは、プロセッサ１３によってランダムアクセスメモリ１４へ移される。ステップ３１７では、電源管理コントローラ１２はモニターポート１７への電力供給を再開し、コンピュータ１００と電気的に接続されるモニター５０をオンにする。ステップ３１８では、あらかじめコンピュータ１００に格納されているログインアカウントとログインパスワードに従って自動ログイン手続きを行う。
【００２７】
図４は本開示の第３実施形態に係る節電方法のフローチャートを示し、図４に示される節電方法は図１に示されるコンピュータ１００によって実行することができる。第３実施形態に係るコンピュータ節電方法のステップ４０１から４０６は、それぞれ第１実施形態に係るコンピュータ節電方法のステップ２０１、２０２、２０５、２０４、２０７、および２１１と同一である。第３実施形態と第１実施形態との相違点は、電源管理コントローラ１２がプロセッサ１３とハードディスク３０に対して電力供給を続け、モニターポート１７への電力供給のみを停止してコンピュータ１００と電気的に接続されるモニター５０をオフにすることである。従って、電源管理コントローラ１２は、コンピュータ１００を復帰させるためにモニターポート１７への電力供給のみを再開し、コンピュータ１００と電気的に接続されるモニター５０をオンにする。
【００２８】
第１から第３実施形態に係るコンピュータ節電方法は、異なるハードウェア構成を有する他のコンピュータによって実行してもよい。図５は、本開示の他の実施形態に係る節電機能を有するコンピュータのハードウェア構成図である。コンピュータ３００のハードウェア構成とコンピュータ１００のハードウェア構成との相違点は、ブルートゥース信号トランシーバ４０がマザーボード１０内に組み込まれ、ブルートゥース信号受信ポート１６と電気的に接続されることである。第１から第３実施形態に係るコンピュータ節電方法はコンピュータ３００によって実行することができ、その動作と原理は上述したそれと同じである。
【００２９】
従来、コンピュータの作業モードから節電モードへ切り替えは、コンピュータの入力インターフェースがどれだけの時間作動されなかったかに応じて行われていた。したがってコンピュータは、実際にはユーザがコンピュータから離れていなくても、ユーザがコンピュータから離れたと誤って判断することがある。本開示のコンピュータ節電方法とコンピュータ復帰方法によると、ブルートゥース信号受信ポートによって得られ、登録された携帯デバイスに関する通信信号の強度が作業強度範囲内にあるかどうかによってコンピュータが動作モードと節電モード間で切り替わるので、ユーザがコンピュータから離れたかどうかを正確に判断して節電することができる。
【図１】
2020013533.tif 000003
【図２Ａ】
2020013533.tif 000004
【図２Ｂ】
2020013533.tif 000005
【図３Ａ】
2020013533.tif 000006
【図３Ｂ】
2020013533.tif 000007
【図４】
2020013533.tif 000008
【図５】
2020013533.tif 000009